(57)【要約】【課題】入力補助具を紛失することなく容易に画面にセットできる技術を提供する。【解決手段】本発明の表示装置は、画面と、前記画面に対する操作体の接触を検知する接触センサーと、前記画面上の使用位置と前記画面外の前記待機位置との間でスライド可能な入力補助具と、前記使用位置と待機位置の間で前記入力補助具をスライドさせるスライダーと、前記画面における前記使用位置に対応する位置にてキー表示を行わせる際に、前記スライダーに前記入力補助具を前記使用位置にスライドさせ、前記画面における前記キー表示に対する前記操作体の接触を前記接触センサーが検出した場合に、前記キー表示に対応する入力操作を受け付け、その後、前記スライダーに前記入力補助具を前記待機位置にスライドさせる制御部と、を備える。【選択図】図２
2016168766.tif 000002
【特許請求の範囲】
【請求項１】
画面と、
前記画面に対する操作体の接触を検知する接触センサーと、
前記画面上の使用位置と前記画面外の待機位置との間でスライド可能な入力補助具と、
前記使用位置と前記待機位置の間で前記入力補助具をスライドさせるスライダーと、
前記画面における前記使用位置に対応する位置にてキー表示を行わせる際に、前記スライダーに前記入力補助具を前記使用位置にスライドさせ、
前記画面における前記キー表示に対する前記操作体の接触を前記接触センサーが検出した場合に、前記キー表示に対応する入力操作を受け付け、その後、前記スライダーに前記入力補助具を前記待機位置にスライドさせる制御部と、
を備える表示装置。
【請求項２】
前記制御部は、一連の前記入力操作を受け付けたことに応じて、前記スライダーに前記入力補助具を前記待機位置にスライドさせる、
請求項１に記載の表示装置。
【請求項３】
前記制御部は、前記画面における前記使用位置に対応する位置にて前記キー表示と異なる表示を行わせることに応じて、前記スライダーに前記入力補助具を前記待機位置にスライドさせる、
請求項１または請求項２のいずれかに記載の表示装置。
【請求項４】
前記スライダーは、前記待機位置に設けられたモーターと、スライドする際に前記入力補助具が摺動するレールと、前記レールに沿って設けられ前記入力補助具にモーターの力を伝えるベルトと、を有する、
請求項１から請求項３のいずれか一項に記載の表示装置。
【発明の詳細な説明】
【技術分野】
【０００１】
本発明は、表示装置に関する。
【背景技術】
【０００２】
取り外し可能なカバー部をタッチパネル上に取り付け、カバー部に設けられたキーを押下することにより、タッチパネルを操作できるように構成された携帯端末が知られている（例えば、特許文献１）。
【先行技術文献】
【特許文献】
【０００３】
【特許文献１】特開２０１２−１６８８６９号公報
【発明の概要】
【発明が解決しようとする課題】
【０００４】
しかしながら、取り外した場合にカバー部を紛失しやすく、また容易にカバー部をタッチパネルに取り付けることができないという問題があった。
本発明は、入力補助具を紛失することなく容易に画面にセットできる技術を提供することを目的とする。
【課題を解決するための手段】
【０００５】
目的を達成するため、本発明の表示装置は、画面と、画面に対する操作体の接触を検知する接触センサーと、画面上の使用位置と画面外の待機位置との間でスライド可能な入力補助具と、使用位置と待機位置の間で入力補助具をスライドさせるスライダーと、画面における使用位置に対応する位置にてキー表示を行わせる際に、スライダーに入力補助具を使用位置にスライドさせ、画面におけるキー表示に対する操作体の接触を接触センサーが検出した場合に、キー表示に対応する入力操作を受け付け、その後、スライダーに入力補助具を待機位置にスライドさせる制御部と、を備える。
【０００６】
前記の構成において、スライダーによって画面上の使用位置に入力補助具をスライドさせた状態で、ユーザーは、使用位置に対応する画面上の位置に操作体を接触させることにより、キー表示に対応する入力操作を行うことができる。一方、キー表示に対応する入力操作を行わない場合に、スライダーによって画面外の待機位置に入力補助具がスライドした状態で、ユーザーは、入力補助具に妨げられることなく画面を視認できる。入力補助具がスライダーによってスライドするため、入力補助具を紛失することなく使用位置に容易にセットすることができる。さらに、入力補助具がスライダーによってスライドするため、使用位置に入力補助具を正確にセットできる。ここで、スライドするとは、画面に対して平行またはほぼ平行な方向に入力補助具が移動することであり、当該移動は画面と平行な面内における直線移動や回転移動や種々の曲線移動であってもよい。なお、接触とは、厳密には接触していなくても画面の近傍に操作体が近づいたことを含めてもよい。
【０００７】
また、制御部は、一連の入力操作を受け付けたことに応じて、スライダーに入力補助具を待機位置にスライドさせる。これにより、一連の入力操作を受け付けている最中に入力補助具が待機位置にスライドして、入力操作が妨げられることを防止できる。
【０００８】
さらに、制御部は、画面における使用位置に対応する位置にてキー表示と異なる表示を行わせることに応じて、スライダーに入力補助具を待機位置にスライドさせてもよい。これにより、キー表示と異なる表示を行って入力操作を受け付けない状態、すなわちユーザーが入力補助具を利用しない状態において、画面を視認し易くすることができる。
【０００９】
また、スライダーは、待機位置に設けられたモーターと、スライドする際に入力補助具が摺動するレールと、レールに沿って設けられ入力補助具にモーターの力を伝えるベルトと、を有してもよい。モーターを画面外の待機位置に配置することにより、モーターが画面の視認性を低下させることを防止できるとともに、モーターが発するノイズが画面や接触センサーに影響を及ぼすことを防止できる。
【図面の簡単な説明】
【００１０】
【図１】図１Ａはプリンターの斜視図、図１Ｂはプリンターのブロック図である。
【図２】図２Ａは操作部の斜視図、図２Ｂは操作部の分解斜視図である。
【図３】入力操作受付処理のフローチャートである。
【図４】印刷条件設定表示を示す図である。
【図５】他の実施形態のプリンターの斜視図である。
【発明を実施するための形態】
【００１１】
以下、本発明の実施の形態を以下の順序にしたがって添付図面を参照しながら説明する。なお、各図において対応する構成要素には同一の符号が付され、重複する説明は省略される。
（１）装置構成：
（２）入力操作受付処理：
（３）他の実施形態：
【００１２】
（１）装置構成：
図１Ａは、本発明の第１実施形態にかかる表示装置を含むプリンター１の斜視図である。プリンター１は、外観上の構成として、本体筐体１０と操作部２０と給紙トレイ３０と排紙トレイ４０を備える。操作部２０は、本体筐体１０の側面（正面）に備えられている。操作部２０は、本体筐体１０の上面に備えられてもよいし、本体筐体１０に対してチルト可能に連結されてもよい。操作部２０は、タッチパネルディスプレイ２１と入力補助具２２とレール２３ａ，２３ｂとを備える。
【００１３】
タッチパネルディスプレイ２１は、画面としてのＬＣＤディスプレイと、接触センサーとしてのタッチセンサーとを含む。タッチセンサーは、ＬＣＤディスプレイに対する操作体の接触位置を検知する。例えば、指やタッチペンの先端が操作体を構成する。プリンター１は、給紙トレイ３０にセットされた印刷媒体上に印刷を行い、印刷済みの印刷媒体を排紙トレイ４０に排出する。なお、本発明の表示装置は、必ずしもプリンター１に備えられなくてもよく、画面上にてユーザーから入力操作を受け付けるいかなる装置に含まれ得る。
【００１４】
図１Ｂは、プリンター１の機能構成を示すブロック図である。プリンター１の本体筐体１０には、制御部１１と搬送部１２と印刷部１３とが組み込まれている。制御部１１は、プロセッサーやメモリーや入出力インターフェースを備えるコンピューターである。制御部１１は、印刷プログラムを実行することにより、搬送部１２と印刷部１３と操作部２０を制御する。
【００１５】
搬送部１２は、印刷媒体を給紙トレイ３０から印刷部１３に搬送し、さらに印刷済みの印刷媒体を印刷部１３から排紙トレイ４０に搬送するためのハードウェアであり、制御部１１によって制御される。具体的に、搬送部１２は、ピックアップローラー等の搬送ローラーと、当該搬送ローラーを駆動させるための駆動モーターと、当該駆動モーターを制御するための制御回路等を含む。
【００１６】
印刷部１３は、印刷媒体に印刷を行うためのハードウェアであり、制御部１１によって制御される。具体的に、制御部１１は、印刷ヘッドと、印刷ヘッドを駆動する駆動モーターと、当該印刷ヘッドや駆動モーターを制御するための制御回路等を含む。
【００１７】
図２Ａは操作部２０の斜視図である。同図に示すように、タッチパネルディスプレイ２１は矩形状であり、当該タッチパネルディスプレイ２１の上下の辺のそれぞれに沿って直線状のレール２３ａ，２３ｂが設けられている。入力補助具２２の縦方向の長さＨはタッチパネルディスプレイ２１の縦方向の長さＪよりも長く、横方向の幅Ｗはタッチパネルディスプレイ２１の横方向の幅Ｖよりも短い。
【００１８】
入力補助具２２は、格子部２２ａと４個の連結部２２ｂ１〜２２ｂ４とを備えている。入力補助具２２の縦方向の長さＨはタッチパネルディスプレイ２１の縦方向の長さＪよりも長くなっている。格子部２２ａにおいて、行列状（例えば、縦５行×横３列）に配列するように矩形状の開口Ｏが形成されており、格子部２２ａが直交格子状になっている。連結部２２ｂ１〜２２ｂ４は、格子部２２ａの四隅のそれぞれから上下に延びる直線状の部分であり、格子部２２ａとレール２３ａ，２３ｂとを連結する。連結部２２ｂ１〜２２ｂ４によって、格子部２２ａがタッチパネルディスプレイ２１と同等の高さに保持される。
【００１９】
上下のレール２３ａ，２３ｂは、互いに平行であり、互いに同じ長さＬを有している。レール２３ａ，２３ｂのうち、横方向においてタッチパネルディスプレイ２１と重複する部分の長さＬ１が入力補助具２２の幅Ｗよりも長く、横方向においてタッチパネルディスプレイ２１と重複しない部分の長さＬ２も入力補助具２２の幅Ｗよりも長く形成されている。入力補助具２２の縦方向の長さＨは、上下方向におけるレール２３ａ，２３ｂの間隔と同等となっている。
【００２０】
図２Ｂは操作部２０の分解斜視図である。上方のレール２３ａには下方に開口する溝Ｒａが形成され、断面がＵ字状となっている。下方のレール２３ｂは、上方のレール２３ａと上下対称の形状に形成されており、上方に開口する溝Ｒｂが形成されている。上方のレール２３ａに形成された溝Ｒａには、格子部２２ａから上方に延びる２本の連結部２２ｂ１，２２ｂ２の上端が挿入されている。一方、下方のレール２３ｂに形成された溝Ｒｂには、格子部２２ａから下方に延びる２本の連結部２２ｂ３，２２ｂ４の下端が挿入されている。レール２３ａ，２３ｂの幅方向の両端においては、溝Ｒａ，Ｒｂが形成されていない。すなわち、溝Ｒａ，Ｒｂは幅方向においては開口していない。
【００２１】
ここで、レール２３ａ，２３ｂの左端までスライドした入力補助具２２の位置を使用位置と定義し、レール２３ａ，２３ｂの右端までスライドした入力補助具２２の位置を待機位置と定義する。使用位置とは、入力補助具２２の格子部２２ａ全体がタッチパネルディスプレイ２１上となる位置である。一方、待機位置とは、入力補助具２２の格子部２２ａ全体がタッチパネルディスプレイ２１外となる位置である。
【００２２】
タッチパネルディスプレイ２１の上辺よりも上方、かつ、上方のレール２３ａの下方の高さにおいて、当該レール２３ａに沿うようにベルト収容溝Ｙａが形成されている。同様に、タッチパネルディスプレイ２１の下辺よりも下方、かつ、下方のレール２３ｂの上方の高さにおいて、当該レール２３ｂに沿うようにベルト収容溝Ｙｂが形成されている。ベルト収容溝Ｙａ，Ｙｂは、２個のベルトＢａ，Ｂｂのそれぞれを収容するための溝である。
【００２３】
待機位置には、モーターＭとギヤーＧとシャフトＳとを収容するための凹部Ｚが形成されている。モーターＭは駆動軸が上下方向となるように収容され、当該駆動軸の駆動力がギヤーＧを介してシャフトＳに伝えられる。シャフトＳは、軸方向が上下方向となる回転軸であり、上下それぞれの端部にはベルトＢａ，Ｂｂの右端にて、当該ベルトＢａ，Ｂｂに駆動力を伝えるための駆動プーリーＰ１ａ，Ｐ１ｂが設けられている。上方のベルトＢａの表面側の部分には格子部２２ａから上方に延びる２本の連結部２２ｂ１，２２ｂ２が接合されており、下方のベルトＢｂの表面側の部分には格子部２２ａから下方に延びる２本の連結部２２ｂ３，２２ｂ４が接合されている。ベルトＢａ，Ｂｂの左端には、従動プーリーＰ２ａ，Ｐ２ｂが接触し、当該従動プーリーＰ２ａ，Ｐ２ｂがベルト収容溝Ｙａ，Ｙｂの壁面に対して回転可能に取り付けられる。
【００２４】
ベルト収容溝Ｙａ，ＹｂにベルトＢａ，Ｂｂを収容すると、ベルトＢａ，Ｂｂのうち操作部２０の表面側の部分のみが露出する。また、蓋部Ｚ１によって凹部Ｚに蓋をすることにより、モーターＭとギヤーＧとシャフトＳとを隠すことができる。
【００２５】
以上の構成により、モーターＭを駆動させることにより、レール２３ａ，２３ｂに沿って入力補助具２２を摺動させることができ、レール２３ａ，２３ｂの長さＬの範囲内において入力補助具２２を幅方向にスライドさせることができる。すなわち、入力補助具２２は、タッチパネルディスプレイ２１上の使用位置とタッチパネルディスプレイ２１外の待機位置との間をスライドできるように構成されている。なお、待機位置に設けられたモーターＭと、スライドする際に入力補助具２２が摺動するレール２３ａ，２３ｂと、レール２３ａ，２３ｂに沿って設けられ入力補助具２２にモーターＭの力を伝えるベルトＢａ，Ｂｂとは、スライダーを構成する。モーターＭをタッチパネルディスプレイ２１外の待機位置に配置することにより、モーターＭがタッチパネルディスプレイ２１の視認性を低下させることを防止できるとともに、モーターＭが発するノイズがタッチパネルディスプレイ２１に影響を及ぼすことを防止できる。
【００２６】
（２）入力操作受付処理：
図３は、入力操作受付処理のフローチャートである。入力操作受付処理は、プリンター１が各種入力操作を受け付けるために制御部１１が実行する処理である。本実施形態では入力操作受付処理によって印刷条件を設定する一連の入力操作を受け付ける例を挙げる。まず、制御部１１は、タッチパネルディスプレイ２１に印刷条件設定表示を表示させる（ステップＳ１００）。具体的に、制御部１１は、印刷条件設定表示に対応する画像データを生成し、当該画像データをタッチパネルディスプレイ２１に出力する。
【００２７】
図４は、印刷条件設定表示Ｕの例を示す。印刷条件設定表示Ｕは、キー表示部Ｕ１と設定項目表示部Ｕ２とを含む。キー表示部Ｕ１は、いわゆるテンキーを表すキー表示であり、テンキーの個々のキーに対応する画像が入力補助具２２の開口Ｏと同じ大きさと配列になるように表示されている。設定項目表示部Ｕ２には、設定項目ごとに項目部Ｕ２ｃが設けられており、項目部Ｕ２ｃは設定項目の名称を示す名称部Ｕ２ｃ１と、現在の設定内容を示す内容部Ｕ２ｃ２とが含まれる。さらに、設定項目表示部Ｕ２には、印刷開始ボタンＵ２ｄが含まれる。
【００２８】
以上の印刷条件設定表示Ｕをタッチパネルディスプレイ２１に表示させると、制御部１１は、スライダーに入力補助具２２を使用位置にスライドさせる（ステップＳ１１０）。具体的に、制御部１１は、入力補助具２２がレール２３ａ，２３ｂの左端に突き当たるまでモーターＭを駆動させる。ここで、タッチパネルディスプレイ２１を垂直方向から見た場合に、タッチパネルディスプレイ２１に表示されたキー表示部Ｕ１の位置と、使用位置にスライドした入力補助具２２の格子部２２ａの位置とが一致する。従って、格子部２２ａの各開口Ｏからキー表示部Ｕ１の各キー表示を視認できるとともに、操作体としての指等を、格子部２２ａの各開口Ｏを介して、タッチパネルディスプレイ２１における各キー表示が表示された領域に接触させることができる。
【００２９】
次に、制御部１１は、制御部１１は、キー表示部Ｕ１に対する入力操作を受け付ける（ステップＳ１３０）。具体的に、設定項目表示部Ｕ２の項目部Ｕ２ｃが表示された領域にて操作体の接触位置が検知された場合、制御部１１は、当該項目部Ｕ２ｃの内容部Ｕ２ｃ２が示す設定内容を指定するための入力操作を受け付ける。すなわち、制御部１１は、接触センサーが検知した指等の操作体の接触位置が、キー表示部Ｕ１が表示された領域内である場合に、キー表示に対応する入力操作を受け付ける。この入力操作は、キー表示部Ｕ１を構成する各キー表示に対応する数字を入力する操作であってもよい。例えば、キー表示部Ｕ１を構成する各キー表示に対応する数字を入力することにより、所望の印刷部数等を指定できるように構成されてもよい。また、入力操作は、キー表示部Ｕ１を構成する８，２，４，６番のキー表示に割り当てられた上下左右のカーソル移動方向を入力する操作であってもよい。例えば、上下左右のカーソル移動によって予め用意された印刷解像度等のリストのなかから、カーソル移動によって所望の印刷解像度等を指定できるように構成されてもよい。
【００３０】
次に、制御部１１は、印刷開始指示がされたか否かを判定する（ステップＳ１４０）。具体的に、印刷開始ボタンＵ２ｄが表示された領域にて操作体の接触位置が検知された場合、制御部１１は、印刷開始指示がされたと判定する。印刷開始指示がされたと判定しなかった場合（ステップＳ１４０：Ｎ）、制御部１１は、引き続きキー表示部Ｕ１に対する入力操作を受け付ける。
【００３１】
一方、印刷開始指示がされたと判定した場合（ステップＳ１４０：Ｙ）、制御部１１は、タッチパネルディスプレイ２１に印刷ステータス表示を表示させる（ステップＳ１５０）。すなわち、制御部１１は、キー表示部Ｕ１を含む印刷条件設定表示Ｕをタッチパネルディスプレイ２１から消去するとともに、タッチパネルディスプレイ２１に印刷ステータス表示を表示させる。制御部１１は、タッチパネルディスプレイ２１においてキー表示部Ｕ１が表示されていた領域に、キー表示と異なる表示（印刷ステータス表示の一部）を行わせる。また、印刷開始指示がされたと判定した場合とは、印刷条件を設定するための一連の入力操作の受け付けが完了したと見なすことができる。
【００３２】
次に、制御部１１は、スライダーに入力補助具２２を待機位置にスライドさせる（ステップＳ１６０）。すなわち、制御部１１は、印刷条件を設定するための一連の入力操作を受け付けたこと、および、タッチパネルディスプレイ２１における使用位置に対応する位置にてキー表示と異なる表示を行わせることに応じて、入力補助具２２を待機位置にスライドさせる。具体的に、制御部１１は、入力補助具２２がレール２３ａ，２３ｂの右端に突き当たるまでモーターＭを駆動させる。
【００３３】
前記の構成において、スライダーによってタッチパネルディスプレイ２１上の使用位置に入力補助具２２をスライドさせた状態で、ユーザーは、使用位置に対応するタッチパネルディスプレイ２１上の位置に操作体を接触させることにより、キー表示に対応する入力操作を行うことができる。一方、キー表示に対応する入力操作を行わない場合に、スライダーによってタッチパネルディスプレイ２１外の待機位置に入力補助具２２がスライドさせた状態で、ユーザーは、入力補助具２２に妨げられることなくタッチパネルディスプレイ２１を視認できる。入力補助具２２がスライダーによってスライドするため、使用位置に入力補助具２２を容易にセットすることができる。さらに、入力補助具２２がスライダーによってスライドするため、使用位置に入力補助具２２を正確にセットできる。
【００３４】
また、一連の入力操作を受け付けたことに応じて、スライダーに入力補助具２２を待機位置にスライドさせことにより、一連の入力操作を受け付けている最中に入力補助具２２が待機位置にスライドして、入力操作が妨げられることを防止できる。さらに、制御部１１は、タッチパネルディスプレイ２１における使用位置に対応する位置にてキー表示と異なる表示を行わせることに応じて、スライダーに入力補助具２２を待機位置にスライドさせる。これにより、キー表示と異なる表示を行って入力操作を受け付けない状態、すなわちユーザーが入力補助具２２を利用しない状態において、タッチパネルディスプレイ２１の視認し易くすることができる。
【００３５】
また、モーターＭをタッチパネルディスプレイ２１外の待機位置に配置することにより、モーターＭがタッチパネルディスプレイ２１の視認性を低下させることを防止できるとともに、モーターＭが発するノイズがタッチパネルディスプレイ２１やタッチセンサーに影響を及ぼすことを防止できる。
【００３６】
（３）他の実施形態：
なお、本発明の技術的範囲は、上述した実施形態に限定されるものではなく、上述した実施形態を組み合わせることを含め、本発明の要旨を逸脱しない範囲内において種々変更を加え得ることは勿論である。むろん、本発明の表示装置がプリンター１以外の装置に組み込まれてもよい。入力補助具２２は、テンキーの表示に対応したものでなくてもよく、複数のキー表示に対応したものでなくてもよい。例えば、十字キーの各方向のキーにそれぞれ対応したものであってもよく、単一のキー表示を操作するための部品であってもよい。さらに、入力補助具２２は、キー表示を押下するための部品でなくてもよく、キー表示を特定方向にフリックする操作をガイドするための部品であってもよい。
【００３７】
待機位置は必ずしもタッチパネルディスプレイ２１の右側に設けられなくてもよく、待機位置はタッチパネルディスプレイ２１の左側や上側や下側に設けられてもよい。また、入力補助具２２に形成された開口Ｏを介して操作体としての指等がタッチパネルディスプレイ２１に接触する以外の構成も採用可能である。例えば、入力補助具２２のタッチパネルディスプレイ２１側にキー表示ごとに操作体としての突起を設け、当該突起がタッチパネルディスプレイ２１側に押下できるように入力補助具２２が構成されてもよい。例えば、入力補助具２２にテンキー等のハードウェアキーを設け、当該ハードウェアキーのキートップを押下することにより、当該ハードウェアキーに対応する突起がタッチパネルディスプレイ２１側に接触するようにしてもよい。
【００３８】
図５は、他の実施形態にかかる入力補助具２２を示す。同図に示すように、入力補助具１２２はタッチパネルディスプレイ２１に垂直な回転軸Ｑを中心に回転することにより、使用位置と待機位置との間をスライドすることが可能となっている。回転軸Ｑを駆動するモーター（不図示）を備えることにより、入力補助具２２をスライドさせるようにしてもよい。また、入力補助具２２は、必ずしも待機位置にて板状となっていなくてもよく、例えば待機位置にて巻き取られて収納されてもよいし、折り畳まれて収納されてもよい。
【００３９】
前記実施形態においては、モーターＭの回転動力をベルトＢａ，Ｂｂに直進方向に変換することよって入力補助具２２を直進方向にスライドさせるようにしたが、モーターＭの回転動力をラックアンドピニオンやボールネジやチェーンによって直進方向に変換してもよい。むろん、モーターＭの代わりに直進駆動が可能なシリンダー等のアクチュエーターを採用してもよい。
【００４０】
前記実施形態においては、制御部１１がタッチパネルディスプレイ２１の表示内容と連動して入力補助具２２をスライドさせたが、タッチパネルディスプレイ２１に表示した操作ボタンに対する操作を受け付けた場合に入力補助具２２をスライドさせてもよい。これにより、ユーザーは入力補助具２２を使用することなく、キー表示部Ｕ１を操作することも選択できる。
【００４１】
また、待機位置の入力補助具２２を隠すようなカバーを設けてもよい。
タッチパネルは、抵抗膜方式、表面弾性波方式等の様々な方式を採用可能である。静電容量方式や赤外線方式のように、実際に指等の指示具が画面に接触しなくても画面近傍にきたことでそれをタッチしたものと判断するような方式であってもよい。
また、表示装置は、プリンターに限られるものではなく、スキャナーや携帯電話やＡＴＭ機（現金自動預け払い機）などの様々な装置であってもよい。
【符号の説明】
【００４２】
１…プリンター、１０…本体筐体、１１…制御部、１２…搬送部、１３…印刷部、２０…操作部、２１…タッチパネルディスプレイ、２２…入力補助具、２２ａ…格子部、２２ｂ１〜２２ｂ４…連結部、２３ａ，２３ｂ…レール、３０…給紙トレイ、４０…排紙トレイ、Ｂａ，Ｂｂ…ベルト、Ｇ…ギヤー、Ｍ…モーター、Ｏ…開口、Ｐ１ａ，Ｐ１ｂ…駆動プーリー、Ｐ２ａ，Ｐ２ｂ…従動プーリー、Ｑ…回転軸、Ｒａ，Ｒｂ…溝、Ｓ…シャフト、Ｕ…印刷条件設定表示、Ｕ１…キー表示部、Ｕ２…設定項目表示部、Ｕ２ｃ…項目部、Ｕ２ｃ１…名称部、Ｕ２ｃ２…内容部、Ｕ２ｄ…印刷開始ボタン、Ｙａ，Ｙｂ…ベルト収容溝、Ｚ…凹部、Ｚ１…蓋部
【図１】
2016168766.tif 000003
【図２】
2016168766.tif 000004
【図３】
2016168766.tif 000005
【図４】
2016168766.tif 000006
【図５】
2016168766.tif 000007